(57)【特許請求の範囲】
【請求項１】
野縁を野縁受に取り付けるための器具であって、長尺の柄の先端部が、少なくとも前記野縁を嵌挿し得る間隔をおいて叉状に拡開する形状を有し、該拡開部の各肢片の先端に、前記野縁受に係止するための、帯状に延びる鋼製プレートの一端部を鉤状に折曲した係止片が設けられるとともに、両肢片の間に、前記野縁を押圧するための、短尺の平角材が前記各肢片に横架し接合された押圧部材が架設されていることを特徴とする野縁取付器。
【発明の詳細な説明】
【０００１】
【発明の属する技術分野】
この発明は、建物の組み天井下地の施工において野縁を野縁受に取り付けるための器具に関する。
【０００２】
【従来の技術】
建物の組み天井の下地として、例えば図６に示すようなものがある。同図に示す例では、金属製の野縁受５の下面に、所定間隔をおいて複数の取付金物６が設けられており、各取付金物６に金属製の野縁４を１本ずつ嵌着するようにして、組み天井下地が構成されている。上記取付金物６は、野縁４を挟持する挟持片６１、６１が両側からそれぞれ下方に延出した概略コの字形の形状を有し、下方から野縁４を圧入して固定するものとなっている。
【０００３】
【発明が解決しようとする課題】
上記組み天井下地の施工においては、野縁４を野縁受５に取り付ける際、該野縁４を下方から押し上げるのみでは、該野縁４を取付金物６に圧入するのに十分な押圧力を加えることが困難であるため、該野縁４を下方から叩打するようにして取付金物６に圧入せざるを得ないが、これによれば該野縁４が損傷を受けやすいという問題がある。
【０００４】
この発明は、上記の点に鑑み、野縁を損傷することなく容易に野縁受に取り付けることができるようにする手段を提供することを目的とする。
【０００５】
【課題を解決するための手段】
上記目的を達成するためになされたこの発明の請求項１に記載の野縁取付器は、野縁を野縁受に取り付けるための器具であって、長尺の柄の先端部が、少なくとも前記野縁を嵌挿し得る間隔をおいて叉状に拡開する形状を有し、該拡開部の各肢片の先端に、前記野縁受に係止するための、帯状に延びる鋼製プレートの一端部を鉤状に折曲した係止片が設けられるとともに、両肢片の間に、前記野縁を押圧するための、短尺の平角材が前記各肢片に横架し接合された押圧部材が架設されていることを特徴とするものである。
【０００７】
【発明の実施の形態】
以下、本発明の実施形態を図面に基づき具体的に説明する。図１には、本発明の一実施形態に係る野縁取付器が示されている。同図に示す野縁取付器Ｔ１は、柄１に係止部２と押圧部３とが設けられたものとなっている。
【０００８】
柄１は、やや長尺に延びる棒状の本体１１の一方端部に、２本の肢片１２、１２が接合された構成となっている。上記本体１１は、一方端から、これよりやや内側寄りの位置までは角材状、当該位置から他方端までは丸棒状となるように加工されている。上記両肢片１２、１２は、やや短尺の平角材よりなり、前記本体１１と略同一方向に延びる態勢で、該本体１１の角材状部を両側から挟持するようにして接合されている。両肢片１２、１２は、先端へいくに従って両者間の間隔が漸次幅広となるようにして、本体１１の先端よりもさらに延出しており、これにより、柄１の先端部が、叉状に拡開する形状となっている。上記両肢片１２、１２の先端部の間隔は、これらの間に野縁を嵌挿した場合に若干余裕が形成される程度となっている。なお、以下、上記柄１における拡開部側を上側とし、該拡開部により形成される平面の一方面側および他方面側をそれぞれ前側および後側とする。
【０００９】
上記柄１の長さは、平均的な身長の成人が床上で該柄１の下側端部を把持した状態で、該柄１の上側端部を天井の下地に容易に届かせ得る程度に設定されている。
【００１０】
係止部２は、野縁受に係止するための部位であり、前記柄１における両肢片１２、１２の上側端からそれぞれ前側方向へ延出する一対の係止片２１、２１よりなる。各係止片２１は、帯状に延びる鋼製プレートの一端部を鉤状に折曲し、該折曲片を前側方向へ延出させるようにして、該鋼製プレートを上記各肢片１２の先端部に重ね合わせ接合することによって構成されている。
【００１１】
押圧部３は、野縁を押圧するための部位であり、前記柄１における両肢片１２、１２の間に架設された押圧部材３１よりなる。該押圧部材３１は、短尺の平角材よりなり、上記両肢片１２、１２の後側面における上側端よりやや下方の位置に、後側から重ね合わせるようにして横架し接合されている。上記両肢片１２、１２の上側端から押圧部材３１の上側端までの距離は、野縁受の上面から取付後の野縁の下面までの距離よりやや大となっている。
【００１２】
上記野縁取付器Ｔ１は、係止片２１、２１を除き、全て木材で構成されている。
【００１３】
以下、上記野縁取付器Ｔ１を用いた野縁の取付手順を順次記述する。
１．まず、上記野縁取付器Ｔ１における両肢片１２、１２の上側端部の間に野縁４を上から嵌挿して保持し、この状態で該野縁取付器Ｔ１の上側端を上方に掲げて、該野縁４を野縁受５の下方に配置する。
【００１４】
２．ついで、図２および図３に示すように、上記野縁取付器Ｔ１の両係止片２１を、野縁受５の上面に係止する。
【００１５】
３．ついで、上記野縁取付器Ｔ１の柄１の下側端を、図中の矢印Ａ１で示すように後側方向へ引き上げるようにする。
【００１６】
このとき、上記野縁取付器Ｔ１は、係止片２１の先端を支点Ｐとして、てこのように作用し、図２中の矢印Ａ２で示すように押圧部材３１が野縁４を上方へ押圧する。これにより、該野縁４が取付金物６に圧入されて野縁受５に固定される。
【００１７】
上記野縁取付器Ｔ１によれば、長尺の柄１に、野縁受５に係止するための係止部２と、野縁４を押圧するための押圧部３とが設けられているので、前記したように、野縁受５に係止部２を係止して柄１の下側端を引き上げることで、柄１がてこのように作用して押圧部３が野縁４を押圧し、これにより野縁４が取付金物６に圧入されて野縁受５に固定される。したがって、該野縁４を叩打したりしなくとも、十分な押圧力で押圧するようにして取付金物６に圧入することができるので、該野縁４を損傷することなく、容易に野縁受５に取り付けることができる。
【００１８】
また、長尺の柄１を介して野縁４の取付作業を行うことができるので、床上から極めて容易に作業を行うことができる。
【００１９】
さらに具体的には、上記長尺の柄１の先端部が、少なくとも前記野縁４を嵌挿し得る間隔をおいて叉状に拡開する形状を有し、該拡開部の各肢片１２、１２の先端に、前記野縁受５に係止するための係止片２１、２１が設けられるとともに、両肢片１２、１２の間に、前記野縁４を押圧するための押圧部材３１が架設されているので、前記したように、両肢片１２、１２の間に野縁４を嵌挿して保持した状態で野縁取付器Ｔ１を上方に掲げることにより、該野縁４を容易に取付位置に配置することができ、さらに、この状態で、両係止片２１、２１を野縁受５に係止して柄１の下側端を引き上げることで、押圧部材３１で野縁４を押圧して取付金物６に容易に圧入することができる。したがって、野縁４の配置から固定までを連続して容易に行うことができ、またこのとき該野縁４を安定して保持した状態で配置し取り付けることができるため作業がやりやすい。
【００２０】
さらに、上記野縁取付器Ｔ１は、係止片２１、２１以外は全て木材で構成されているので、野縁４に接触しても該野縁４を損傷し難く、特に押圧部材３１で野縁４を押圧しても該野縁４を損傷し難い。また、該野縁取付器Ｔ１が容易に作製することができて低コストのものとなっている。
【００２１】
上記野縁取付器Ｔ１には、様々な変更を加えることが可能である。例えば、図４に示すように、柄１を、一方向に長尺に延びる平板状のものとし、該柄１における一方短縁部の中央部分を切欠いて、該切欠部分の両側に肢片１２、１２を形成するようにしてもよい。この場合、上記切欠部分の内奥の端縁部が押圧部３となる。また、同図に示す例では、柄１における他方短縁部も切欠いて、該切欠部分にハンドル１３を架設するようにしている。なお、上記柄１は樹脂を成形して得られたものとなっている。同図に示す野縁取付器Ｔ２は、前記図１に示す野縁取付器Ｔ１と基本的に同様にして使用することができる。
【００２２】
また、例えば、図５に示すように、柄１を概略くの字形状に折曲した形状とし、該柄１の一方端に、コの字形状の係止金具２２を回動可能に取り付けるようにしてもよい。同図に示す野縁取付器Ｔ３では、該係止金具２２を野縁受５に嵌着して係止し、この状態で、図中の矢印Ａ３で示すように柄１を引き上げるようにして、該柄１の折曲部分で野縁４を上方へ押圧し取付金物６に圧入するようにする。この場合、柄１が、係止金具２２との接合部を支点Ｐとしててこのように作用し、該柄１の折曲部分が押圧部３として機能する。
【００２３】
また、例えば、柄１、押圧部３等を、鉄、アルミニウム等の各種金属で構成することもできる。この場合、野縁４に接触する部位に、ゴム等よりなる緩衝材を配設しておくようにしてもよい。
【００２６】
【発明の効果】
以上のように、この発明の請求項１に記載の野縁取付器によれば、長尺の柄の先端部を、少なくとも前記野縁を嵌挿し得る間隔をおいて叉状に拡開する形状とし、該拡開部の各肢片の先端に、前記野縁受に係止するための係止片を設けるとともに、両肢片の間に、前記野縁を押圧するための押圧部材を架設したので、両肢片の間に野縁を嵌挿して保持した状態で野縁取付器を上方に掲げることにより、該野縁を容易に取付位置に配置することができ、さらに、この状態で、両係止片を野縁受に係止して柄の下側端を引き上げることで、押圧部材で野縁を容易に押圧することができる。さらに、該野縁を叩打したりしなくとも、柄がてこのように作用し、十分な押圧力で押圧するようにして取り付けることができるので、該野縁を損傷することなく、容易に野縁受に取り付けることができる。したがって、野縁の配置から固定までを連続して容易に行うことができ、またこのとき該野縁を安定して保持した状態で配置し取り付けることができるため作業がやりやすい。また、長尺の柄を介して野縁の取付作業を行うことができるので、床上から極めて容易に作業を行うことができる。
【図面の簡単な説明】
【図１】実施形態に係る野縁取付器を示す一部切欠斜視図。
【図２】図１の野縁取付器の使用状態を示す側面図。
【図３】図２の斜視図。
【図４】他の実施形態に係る野縁取付器を示す一部切欠斜視図。
【図５】他の実施形態に係る野縁取付器を示す模式図。
【図６】組み天井の下地構造の一例を示す部分斜視図。
【符号の説明】
１  柄
２  係止部
３  押圧部
Ｔ１  野縁取付器
【図１】
0003856593.tif 000002
【図２】
0003856593.tif 000003
【図３】
0003856593.tif 000004
【図４】
0003856593.tif 000005
【図５】
0003856593.tif 000006
【図６】
0003856593.tif 000007